(57)【要約】【課題】衣類などの洗濯を行う洗濯機において、洗濯機の高機能化に伴い上部枠体内の内蔵部品が増えて上部枠体が高くなり、スイッチ操作部が安全スイッチの取付け高さより極端に高くなっても、蓋の開閉により安全スイッチをオン、オフできるようにし、安全性を確保する。【解決手段】洗濯機本体１の上部を上部枠体１１で覆い、この上部枠体１１の開口部１２を蓋３により開閉自在に覆い、上部枠体１１の内方部に少なくとも蓋３の閉開に応じてオン、オフする安全スイッチ４を設け、蓋３の後方にスイッチ操作部６を延設する。安全スイッチ４に設けた蓋開閉検知レバー７とスイッチ操作部６とを連動部材１３を介して連動させるよう構成する。【選択図】　図１
2004073707.tif 000002
【特許請求の範囲】
【請求項１】
洗濯機本体と、この洗濯機本体の上部を覆う上部枠体と、この上部枠体の開口部を開閉自在に覆う蓋と、前記上部枠体の内方部に設け少なくとも前記蓋の閉開に応じてオン、オフする安全スイッチと、前記蓋の後方に延設したスイッチ操作部とを備え、前記安全スイッチに設けた蓋開閉検知レバーと前記スイッチ操作部とを連動部材を介して連動させるよう構成した洗濯機。
【請求項２】
連動部材は、金属棒材にて構成した請求項１記載の洗濯機。
【請求項３】
連動部材の一端は、安全スイッチの蓋開閉検知レバーの先端部近傍に係止するよう構成した請求項１記載の洗濯機。
【請求項４】
連動部材の一端は、開閉検知レバーの先端部近傍に設けた孔部に挿着するよう構成した請求項１〜３のいずれか１項に記載の洗濯機。
【請求項５】
連動部材の他端は、スイッチ操作部の上面に引っ掛けるよう構成した請求項１〜４のいずれか１項に記載の洗濯機。
【請求項６】
連動部材の他端は、蓋閉状態から蓋が所定の角度開かれた状態までの間で、スイッチ操作部の上面に引っ掛けるよう構成した請求項５記載の洗濯機。
【請求項７】
連動部材の一端は折曲部を有し、この折曲部より先端側は蓋開閉検知レバーの先端部近傍に係止し、前記折曲部近傍に前記先端部より下方に凸となる凸部を設けるよう構成した請求項１〜６のいずれか１項に記載の洗濯機。
【請求項８】
連動部材はばね用ステンレ鋼線などの線材で構成した請求項１記載の洗濯機。
【発明の詳細な説明】
【０００１】
【発明の属する技術分野】
本発明は、衣類などの洗濯を行う洗濯機に関するものである。
【０００２】
【従来の技術】
従来、この種の洗濯機は図４および図５に示すような構成が一般的であった。以下、その構成について説明する。
【０００３】
図４に示すように、洗濯機本体１は、上部に上部枠体２を設け、この上部枠体２には衣類投入時に開閉する蓋３を後方で軸支している。安全スイッチ４は上部枠体２の内部に装着し、少なくとも蓋２の閉開に応じてオン、オフするもので、蓋３の後辺壁に軸５と連結したてこ壁を有するスイッチ操作部６を設け、一方、安全スイッチ４に蓋開閉検知レバー７を設け、蓋３を閉じると、スイッチ操作部６によって蓋開閉検知レバー７をすくい上げるように配置し、スイッチ操作部６により安全スイッチ４をオン、オフして、脱水の動作をオン、オフさせるよう構成している。
【０００４】
上記構成において動作を説明すると、図４に示すように、蓋３が閉じているときにはスイッチ操作部６により安全スイッチ４の蓋開閉検知レバー７が押し上げられているが、図５に示すように、蓋３を徐々に開くと、スイッチ操作部６が徐々に下がるため、開閉検知レバー７も徐々に下がる。所定の位置まで蓋開閉検知レバー７が下がると安全スイッチ４がオフとなり、脱水の動作が止まる構造となっている。
【０００５】
さらに、安全スイッチ４は下方に水受け槽８内に回転自在に設けた脱水槽９の異常振動を検知する異常振動検知レバー１０を備えており、製品の移動や転倒などを事前に検知し、脱水動作を止める検知機能を有している。
【０００６】
【発明が解決しようとする課題】
このような従来の構成では、安全スイッチ４は水受け槽８内に回転自在に設けた脱水槽９の異常振動を異常振動検知レバー１０で検知するため、取付け位置や取付け高さに制限があった。スイッチ操作部６で蓋開閉検知レバー７をすくい上げるため、スイッチ操作部６は安全スイッチ４とほぼ同等な高さ配置しなければならなかった。
【０００７】
しかし、最近の洗濯機の高機能化に伴い、新機能を搭載する際、上部枠体２内部に機能部品を配置したくても上部枠体２の高さＨの制限があり、機能の高度化に制限があった。
【０００８】
本発明は上記従来の課題を解決するもので、洗濯機の高機能化に伴い上部枠体内の内蔵部品が増えて上部枠体が高くなり、スイッチ操作部が安全スイッチの取付け高さより極端に高くなっても、蓋の開閉により安全スイッチをオン、オフできるようにし、安全性を確保することを目的としている。
【０００９】
【課題を解決するための手段】
本発明は上記目的を達成するために、洗濯機本体の上部を上部枠体で覆い、この上部枠体の開口部を蓋により開閉自在に覆い、上部枠体の内方部に少なくとも蓋の閉開に応じてオン、オフする安全スイッチを設け、蓋の後方にスイッチ操作部を延設するよう構成し、安全スイッチに設けた蓋開閉検知レバーとスイッチ操作部とを連動部材を介して連動させるよう構成したものである。
【００１０】
これにより、洗濯機の高機能化に伴い上部枠体内の内蔵部品が増えて上部枠体が高くなり、スイッチ操作部が安全スイッチの取付け高さより極端に高くなっても、蓋の開閉により安全スイッチをオン、オフすることができ、安全性を確保することができる。
【００１１】
【発明の実施の形態】
本発明の請求項１に記載の発明は、洗濯機本体と、この洗濯機本体の上部を覆う上部枠体と、この上部枠体の開口部を開閉自在に覆う蓋と、前記上部枠体の内方部に設け少なくとも前記蓋の閉開に応じてオン、オフする安全スイッチと、前記蓋の後方に延設したスイッチ操作部とを備え、前記安全スイッチに設けた蓋開閉検知レバーと前記スイッチ操作部とを連動部材を介して連動させるよう構成したものであり、洗濯機の高機能化に伴い上部枠体内の内蔵部品が増えて上部枠体が高くなり、スイッチ操作部が安全スイッチの取付け高さより極端に高くなって、安全スイッチに設けた蓋開閉検知レバーとスイッチ操作部との高さが違うようになっても、連動部材を介して、蓋の開閉により安全スイッチをオン、オフすることができ、安全性を確保することができる。
【００１２】
請求項２に記載の発明は、上記請求項１に記載の発明において、連動部材は、金属棒材にて構成したものであり、強度を強くでき、安価でコンパクトな構成とすることができる。
【００１３】
請求項３に記載の発明は、上記請求項１に記載の発明において、連動部材の一端は、安全スイッチの蓋開閉検知レバーの先端部近傍に係止するよう構成したものであり、蓋開閉検知レバーの回動角度の変化を連結部材の上下の移動距離によって検知することができ、角度に対する移動距離が大きくなり、開閉角度を細かく検知することができる。
【００１４】
請求項４に記載の発明は、上記請求項１〜３に記載の発明において、連動部材の一端は、開閉検知レバーの先端部近傍に設けた孔部に挿着するよう構成したものであり、連動部材を確実に蓋開閉検知レバーに連動することができる。
【００１５】
請求項５に記載の発明は、上記請求項１〜４に記載の発明において、連動部材の他端は、スイッチ操作部の上面に引っ掛けるよう構成したものであり、簡単な構造で蓋の回動を容易に検知することができる。
【００１６】
請求項６に記載の発明は、上記請求項５に記載の発明において、連動部材の他端は、蓋閉状態から蓋が所定の角度開かれた状態までの間で、スイッチ操作部の上面に引っ掛けるよう構成したものであり、蓋の開閉に伴う連動部材の動きが単純になり、蓋の開閉により安全スイッチを確実にオン、オフすることができ、安全性を確保することができる。
【００１７】
請求項７に記載の発明は、上記請求項１〜６に記載の発明において、連動部材の一端は折曲部を有し、この折曲部より先端側は蓋開閉検知レバーの先端部近傍に係止し、前記折曲部近傍に前記先端部より下方に凸となる凸部を設けるよう構成したものであり、蓋の上方など外部から水滴が浸入しても下方の凸部で水滴は落下し、直接安全スイッチに付着するのを防止することができ、安全性を向上することができる。
【００１８】
請求項８に記載の発明は、上記請求項１に記載の発明において、連動部材はばね用ステンレ鋼線などの線材で構成したものであり、使用者の激しい蓋の開閉による連結部材の変形を回避することができる。
【００１９】
【実施例】
以下、本発明の一実施例について、図面を参照しながら説明する。なお、従来例と同じ構成のものは同一符号を付して説明を省略する。
【００２０】
図１に示すように、上部枠体１１は、洗濯機本体１の上部を覆い、洗濯機の高機能化に伴い多数の内蔵部品（図示せず）を設けており、この上部枠体１０の開口部１２を蓋３により開閉自在に覆っている。安全スイッチ４は上部枠体１１の内方部に設け、この安全スイッチ４に設けた蓋開閉検知レバー７と蓋３の後方に延設したスイッチ操作部６とを、連動部材１３を介して連動している。
【００２１】
連動部材１３は、ばね用ステンレ鋼線などの線材で構成し、図２に示すように、直径２ｍｍ程度の金属棒材の両端を反対方向に折り曲げ、この連動部材１３の端部に略直角の第１の折曲部１４ａを形成し、この折曲部１４ａより先端側にスイッチ操作部６の上面に引っ掛ける引掛部１５を形成し、蓋開時においては引掛部１５と第１の折曲部１４ａの間の部分を上部枠体１１より延設された第１のリブ１６ａの上部に設けた凹溝１７にはめ込む構成とすることにより、第１の折曲部１４ａの軌跡は凹溝１７によって規制され、スイッチ操作部６によって、引掛部１５を確実にすくい上げるよう構成している。
【００２２】
また、連動部材１３の一端１３ａを蓋開閉検知レバー７に設けた孔部７ａに挿着し、この連動部材１３の一端１３ａに第２の折曲部１４ｂを形成し、この第２の折曲部１４ｂより先端側に下方に凸となる凸部１８を設け、この凸部１８が上部枠体１１より延設された第２のリブ１６ｂに当接することにより、連動部材１３の後方への動きを規制するよう構成している。
【００２３】
また、連結部材１３の第１の折曲部１４ａと第２の折曲部１４ｂ間の略直線部１９を上部枠体１１より延設された第３のリブ１６ｃに当接することにより連動部材１３の倒れを規制するよう構成している。
【００２４】
ここで、連動部材１３の引掛部１５をスイッチ操作部６の上面に引っ掛けるのは、図３に示すように、蓋閉状態から、蓋３が所定の角度開かれた状態までの間としている。
【００２５】
上記構成において動作を説明する。図１に示すように、蓋３が閉じているときは、連動部材１３の引掛部１５はスイッチ操作部６の上面に引っ掛けられ、連動部材１３が上方に引っ張られるため、安全スイッチ４の蓋開閉検知レバー７が押し上げられ、安全スイッチ４はオン状態にある。
【００２６】
つぎに、図３に示すように、蓋３を徐々に開くと、スイッチ操作部６が徐々に下がるため、連動部材１３を介して、開閉検知レバー７も徐々に下がる。所定の位置まで蓋開閉検知レバー７が下がると安全スイッチ４がオフとなり、脱水の動作が止まる。
【００２７】
このとき、連動部材１３は、上部枠体１１より延設した第１のリブ１６ａの上部に設けた凹溝１７にはめ込み、第２のリブ１６ｂおよび第３のリブ１６ｃにより動きを規制することで、スイッチ操作部６と安全スイッチ４に設けた蓋開閉検知レバー７とを連動させることができる。
【００２８】
このように本実施例によれば、安全スイッチ４に設けた蓋開閉検知レバー７とスイッチ操作部６とを連動部材１３を介して連動させるよう構成しているので、洗濯機の高機能化に伴い、上部枠体１１内の内蔵部品が増えて上部枠体１１が高くなり、スイッチ操作部６が安全スイッチ４の取付け高さより極端に高くなって、安全スイッチ４に設けた蓋開閉検知レバー７とスイッチ操作部６との高さが違うようになっても、連動部材１３を介して、蓋３の開閉により安全スイッチ４をオン、オフすることができ、安全性を確保することができる。
【００２９】
また、連動部材１３は、金属棒材にて構成しているので、強度を強くでき、安価でコンパクトに構成することができる。
【００３０】
また、連動部材１３の一端は、安全スイッチ４の蓋開閉検知レバー７の先端部近傍に係止するよう構成しているので、蓋開閉検知レバー７の回動角度の変化を連結部材１３の上下の移動距離によって検知することができ、角度に対する移動距離が大きくなり、開閉角度を細かく検知することができる。
【００３１】
また、連動部材１３の一端は、開閉検知レバー７の先端部近傍に設けた孔部７ａに挿着するよう構成しているので、連動部材１３を確実に蓋開閉検知レバー７に連動することができる。
【００３２】
また、連動部材１３の他端は、スイッチ操作部６の上面に引っ掛けるよう構成しているので、簡単な構造で蓋３の回動を容易に検知することができる。
【００３３】
また、連動部材１３の他端は、蓋閉状態から蓋３が所定の角度開かれた状態までの間で、スイッチ操作部６の上面に引っ掛けるよう構成しているので、蓋３の開閉に伴う連動部材１３の動きが単純になり、蓋３の開閉により安全スイッチ４を確実にオン、オフすることができ、安全性を確保することができる。
【００３４】
また、連動部材１３の第２の折曲部１４ｂより先端側に下方に凸となる凸部１８を設けているので、蓋３の上方など外部から水滴が浸入しても下方の凸部１８で水滴は落下し、直接安全スイッチ４に付着するのを防止することができ、安全性を向上することができる。
【００３５】
また、連動部材１３はばね用ステンレ鋼線などの線材で構成しているので、使用者の激しい蓋３の開閉による連結部材１３の変形を回避することができる。
【００３６】
【発明の効果】
以上のように、本発明の請求項１記載の発明によれば、安全スイッチに設けた蓋開閉検知レバーとスイッチ操作部とを連動部材を介して連動させるよう構成することにより、洗濯機の高機能化に伴い上部枠体内の内蔵部品が増えて上部枠体が高くなり、スイッチ操作部が安全スイッチの取付け高さより極端に高くなっても、蓋の開閉により安全スイッチをオン、オフすることができ、安全性を確保することができる。
【図面の簡単な説明】
【図１】本発明の一実施例の洗濯機の要部断面図
【図２】同洗濯機の要部斜視図
【図３】同洗濯機の蓋を途中まで開いた状態の要部断面図
【図４】従来の洗濯機の要部断面図
【図５】同洗濯機の蓋を途中まで開いた状態の要部断面図
【符号の説明】
１　洗濯機本体
３　蓋
４　安全スイッチ
６　スイッチ操作部
７　蓋開閉検知レバー
１１　上部枠体
１２　開口部
１３　連動部材
【図１】
2004073707.tif 000003
【図２】
2004073707.tif 000004
【図３】
2004073707.tif 000005
【図４】
2004073707.tif 000006
【図５】
2004073707.tif 000007